(57)【要約】【課題】  ２つの表示駆動用ＬＳＩを用いるデュアルスキャン方式で、１つの画面として統一のとれたスクリーンセーバー画面を表示する。【解決手段】  スクリーンセーバー・モード時、チップ間インタフェース１３によって、マスターチップ１０ｍ側のタイミング信号ＴＭ等がスレーブチップ１０ｓ側に供給され、２つのチップ１０ｍ，１０ｓは同一のタイミングで動作する。即ち、タイミング制御部１４によって表示用ＲＡＭ１２の表示データが読み出され、シフト部１８で所定のタイミングで一定方向にスクロールされて表示パネル１に表示される。これにより、マスターチップ１０ｍで駆動される表示領域Ａ１と、スレーブチップ１０ｓで駆動される表示領域Ａ２の表示画面の同期がとられ、統一したスクリーンセーバー画面が得られる。【選択図】      図１
2006047511.tif 000002
【特許請求の範囲】
【請求項１】
表示パネルの表示領域を第１及び第２の領域に分割し、それぞれ第１及び第２の表示駆動回路で駆動して１画面を表示する表示パネル駆動装置において、
前記第１の表示駆動回路は、
前記第１の領域に表示するための画像データが格納された第１の表示用メモリと、
通常表示モード時には、前記第１の表示用メモリに格納された画像データを読み出してそのまま前記第１の領域に表示し、スクリーンセーバー・モード時には、該第１の表示用メモリから読み出した画像データを所定のタイミング信号に従って一定方向に移動させて該第１の領域に表示する第１の駆動部と、
スクリーンセーバー・モード時に、前記所定のタイミング信号を前記第２の表示駆動回路に与える第１のチップ間インタフェースとを備え、
前記第２の表示駆動回路は、
前記第２の領域に表示するための画像データが格納された第２の表示用メモリと、
通常表示モード時には、前記第２の表示用メモリに格納された画像データを読み出してそのまま前記第２の領域に表示し、スクリーンセーバー・モード時には、該第２の表示用メモリから読み出した画像データを前記所定のタイミング信号に従って一定方向に移動させて該第２の領域に表示する第２の駆動部と、
スクリーンセーバー・モード時に、前記第１の表示駆動回路から前記所定のタイミング信号を受け取る第２のチップ間インタフェースとを備えた、
ことを特徴とする表示パネル駆動装置。
【請求項２】
表示パネルの表示領域を第１及び第２の領域に分割し、それぞれ第１及び第２の表示駆動回路で駆動して１画面を表示する表示パネル駆動装置において、
前記第１の表示駆動回路は、
前記第１の領域に表示するための画像データが格納された第１の表示用メモリと、
スクリーンセーバー・モード時に、所定のタイミング信号に従って前記表示領域内で移動図形を所定の規則に従って移動させてその現在位置を算出する第１の位置算出部と、
前記算出された移動図形の現在位置が前記第１の領域に入っている場合には、前記第１の表示用メモリから読み出した画像データの対応する箇所を該移動図形の画像データに置き換えて出力し、該現在位置が該第１の領域に入っていない場合には、前記第１の表示用メモリの画像データをそのまま出力する第１の画像データ読出部と、
前記第１の画像データ読出部から出力された画像データを前記第１の領域に表示する第１の駆動部と、
スクリーンセーバー・モード時に、前記所定のタイミング信号を前記第２の表示駆動回路に与える第１のチップ間インタフェースとを備え、
前記第２の表示駆動回路は、
前記第２の領域に表示するための画像データが格納された第２の表示用メモリと、
スクリーンセーバー・モード時に、前記所定のタイミング信号に従って前記表示領域内で移動図形を所定の規則に従って移動させてその現在位置を算出する第２の位置算出部と、
前記算出された移動図形の現在位置が前記第２の領域に入っている場合には、前記第２の表示用メモリから読み出した画像データの対応する箇所を該移動図形の画像データに置き換えて出力し、該現在位置が該第２の領域に入っていない場合には、前記第２の表示用メモリの画像データをそのまま出力する第２の画像データ読出部と、
前記第２の画像データ読出部から出力された画像データを前記第２の領域に表示する第２の駆動部と、
スクリーンセーバー・モード時に、前記第１の表示駆動回路から前記所定のタイミング信号を受け取る第２のチップ間インタフェースとを備えた、
ことを特徴とする表示パネル駆動装置。
【発明の詳細な説明】
【技術分野】
【０００１】
本発明は、表示パネルを上下または左右の２つの領域に分けて、各領域をそれぞれ別の表示駆動用ＬＳＩ(Large Scale Integration）で駆動する表示パネル駆動装置、特にそのスクリーンセーバー機能に関するものである。
【背景技術】
【０００２】
最近の携帯電話機等の平面型表示パネルでは、従来のＬＣＤ(Liquid Crystal Display:液晶ディスプレイ）に代わって、有機ＥＬ(Electronic Luminescence）ディスプレイに注目が集まっている。有機ＥＬディスプレイは、視認性と色感に優れ、加えて大型化が可能という利点があるが、一方で、同一画面を継続して表示すると表示機能が劣化するという欠点がある。
【０００３】
画面の大型化に伴い、表示領域を上下または左右の２つの領域に分けて、各領域をそれぞれ別の表示駆動用ＬＳＩで駆動するデュアルスキャン方式が用いられている。また、欠点の打開策として、待機モード時に表示画面をスクロールさせて表示パネルの焼き付きを防止するスクリーンセーバー機能が使用されている。スクリーンセーバー機能は、ＣＲＴ(Cathode Ray Tube)を用いたパーソナルコンピュータでは、ソフトウエアによって表示用の画像データを逐次書き替える方式が一般的であるが、特に低消費電力化が必要な携帯電話機等では、ＣＰＵ(Central Processing Unit）を介さずに、表示駆動用ＬＳＩにスクリーンセーバー機能を持たせたものが有力となっている。
【発明の開示】
【発明が解決しようとする課題】
【０００４】
しかしながら、表示領域を２つの領域に分けてそれぞれ別の表示駆動用ＬＳＩで駆動するデュアルスキャン方式において、ＣＰＵの制御なしでスクリーンセーバー機能を持たせると、これらの２つの表示駆動用ＬＳＩが、それぞれの領域に独立したスクリーンセーバー画面を表示することになる。このため、例えば表示画面の上側と下側の画像が分離してしまい、１つの画面として統一のとれた画面を表示することができないという課題があった。本発明は、２つの表示駆動用ＬＳＩを用いるデュアルスキャン方式で、１つの画面として統一のとれたスクリーンセーバー画面を表示することができる表示パネル駆動装置を提供することを目的としている。
【課題を解決するための手段】
【０００５】
本発明は、表示パネルの表示領域を第１及び第２の領域に分割し、それぞれ第１及び第２の表示駆動回路で駆動して１画面を表示する表示パネル駆動装置において、前記第１の表示駆動回路は、前記第１の領域に表示するための画像データが格納された第１の表示用メモリと、通常表示モード時には、前記第１の表示用メモリに格納された画像データを読み出してそのまま前記第１の領域に表示し、スクリーンセーバー・モード時には、該第１の表示用メモリから読み出した画像データを所定のタイミング信号に従って一定方向に移動させて該第１の領域に表示する第１の駆動部と、スクリーンセーバー・モード時に、前記所定のタイミング信号を前記第２の表示駆動回路に与える第１のチップ間インタフェースとを備え、前記第２の表示駆動回路は、前記第２の領域に表示するための画像データが格納された第２の表示用メモリと、通常表示モード時には、前記第２の表示用メモリに格納された画像データを読み出してそのまま前記第２の領域に表示し、スクリーンセーバー・モード時には、該第２の表示用メモリから読み出した画像データを前記所定のタイミング信号に従って一定方向に移動させて該第２の領域に表示する第２の駆動部と、スクリーンセーバー・モード時に、前記第１の表示駆動回路から前記所定のタイミング信号を受け取る第２のチップ間インタフェースとを備えたことを特徴としている。
【発明の効果】
【０００６】
本発明では、スクリーンセーバー・モード時に、２つの表示駆動回路が同一のタイミング信号によって、それぞれの表示用メモリから画像データを読み出して一定方向に移動させて対応する領域に表示させるようにしている。これにより、２つの表示駆動回路を用いるデュアルスキャン方式で、統一のとれたスクリーンセーバー画面を表示することができるという効果がある。
【発明を実施するための最良の形態】
【０００７】
例えば表示パネルの上半分の第１の領域を駆動する第１の表示駆動回路に、第１の領域に表示する画像データが格納された表示用メモリと、所定のタイミング信号に従って表示領域内で移動図形を所定の規則に従って移動させてその現在位置を算出する第１の位置算出部と、算出された移動図形の現在位置が第１の領域に入っている場合には、第１の表示用メモリから読み出した画像データの対応する箇所を移動図形の画像データに置き換えて出力し、現在位置が第１の領域に入っていない場合には、第１の表示用メモリの画像データをそのまま出力する第１の画像データ読出部と、第１の画像データ読出部から出力された画像データを第１の領域に表示する第１の駆動部を設ける。
【０００８】
また、表示パネルの下半分の第２の領域を駆動する第２の表示駆動回路に、第２の領域に表示する画像データが格納された表示用メモリと、所定のタイミング信号に従って表示領域内で移動図形を所定の規則に従って移動させてその現在位置を算出する第２の位置算出部と、算出された移動図形の現在位置が第２の領域に入っている場合には、第２の表示用メモリから読み出した画像データの対応する箇所を移動図形の画像データに置き換えて出力し、現在位置が第２の領域に入っていない場合には、第２の表示用メモリの画像データをそのまま出力する第２の画像データ読出部と、第２の画像データ読出部から出力された画像データを第２の領域に表示する第２の駆動部を設ける。
【０００９】
更に、第１と第２の表示駆動回路にチップ間インタフェースを設け、第１の表示駆動回路から第２の表示駆動回路に所定のタイミング信号を供給して、同期のとれた表示動作を行わせる。
【実施例１】
【００１０】
図１は、本発明の実施例１を示す表示パネル駆動装置の構成図である。
この表示パネル駆動装置は、表示領域が２分割された表示パネル１を駆動するもので、上側の表示領域Ａ１を駆動するマスターチップ１０ｍと、下側の表示領域Ａ２を駆動するスレーブチップ１０ｓを有している。マスターチップ１０ｍとスレーブチップ１０ｓは、システムバス２を介してＣＰＵ３、及びメインメモリ４等に接続されている。
【００１１】
マスターチップ１０ｍとスレーブチップ１０ｓは、同一構成の表示駆動用ＬＳＩで、指定信号ＳＥＴでマスター動作が指定されたときにマスター側のチップとして動作し、スレーブ動作が指定されたときにスレーブ側のチップとして動作するものである。従って、ここでは共通のチップ１０としてその構成を説明する。
【００１２】
チップ１０は、システムバス２を介してＣＰＵ３との間で、信号の入出力制御を行うバスインタフェース（以下、「バスＩＦ」という）１１を有している。バスＩＦ１１には、表示用ＲＡＭ(Random Access Memory)１２とチップ間インタフェース（以下、「チップ間ＩＦ」という）１３が接続され、これらの表示用ＲＡＭ１２とチップ間ＩＦ１３に、タイミング制御部１４が接続されている。表示用ＲＡＭ１２は、ＣＰＵ３から与えられる画面表示用の画像データを格納するものである。
【００１３】
チップ間ＩＦ１３は、端子１５から与えられる指定信号ＳＥＴとＣＰＵ３から与えられるモード信号ＭＯＤに従って、通常表示モードとスクリーンセーバー・モードのタイミング制御信号の切り替えを行うものである。チップ間ＩＦ１３は、モード信号ＭＯＤで通常表示モードが指定されたときには、指定信号ＳＥＴに拘らず、スクリーンセーバー動作を禁止するために、起動信号ＳＣＲをレベル“Ｌ”にしてタイミング制御部１４へ出力するようになっている。一方、モード信号ＭＯＤでスクリーンセーバー・モードが指定されたときには、チップ間ＩＦ１３は、指定信号ＳＥＴの指定に従ってマスター動作またはスレーブ動作を行う。
【００１４】
マスター動作の場合、チップ間ＩＦ１３は、タイミング制御部１４に対してスクリーンセーバー動作を指示するために、起動信号ＳＣＲをレベル“Ｈ”にして出力すると共に、端子１６に同じタイミングで起動信号ＳＣＲを出力する。更に、チップ間ＩＦ１３は、クロック信号ＣＬＫに従って走査ラインのタイミングを示すタイミング信号ＴＭを、タイミング制御部１４と端子１７に出力する。
【００１５】
一方、スレーブ動作の場合、チップ間ＩＦ１３は、端子１６に与えられた信号を、タイミング制御部１４に対する起動信号ＳＣＲとして出力すると共に、端子１７に与えられた信号を、タイミング制御部１４に対するタイミング信号ＴＭとして出力するようになっている。
【００１６】
タイミング制御部１４は、起動信号ＳＣＲが“Ｌ”、即ち通常表示モードのとき、表示用ＲＡＭ１２中の画像データを、クロック信号ＣＬＫに従って表示パネル１の走査ライン毎に読み出すものである。タイミング制御部１４で読み出された画像データは、シフト部１８を介してカラムドライバ１９に与えられ、このカラムドライバ１９によって表示パネル１のカラムライン（表示電極）が駆動されるようになっている。更に、タイミング制御部１４は、表示パネル１のロウライン（走査電極）を指定する信号をロウドライバ２０に出力し、このロウドライバ２０によって表示パネル１のロウラインが駆動されるようになっている。なお、通常表示モードでは、タイミング制御部１４からシフト部１８へのシフト信号ＳＦＴは与えられず、このシフト部１８の動作は停止されるようになっている。
【００１７】
一方、起動信号ＳＣＲが“Ｈ”となって、スクリーンセーバー動作が開始されると、タイミング制御部１４は、表示用ＲＡＭ１２中の画像データを、タイミング信号ＴＭとクロック信号ＣＬＫに従って、表示パネル１のロウライン毎に読み出すようになっている。更に、タイミング制御部１４は、スクリーンセーバー動作のとき、シフト部１８に対してシフト信号ＳＦＴを出力し、読み出した画像データを所定の時間間隔で順次右にシフトさせ、右回りに循環表示させるようになっている。
【００１８】
このチップ１０は、更に、クロック発振器（ＯＳＣ）２１を有している。クロック発振器２１は、端子２２から外部クロックが与えられたときには、その外部クロックに同期したクロック信号を出力し、外部クロックがないときは所定の周波数のクロック信号を出力するものである。クロック発振器２１の出力側は、端子２３とセレクタ２４の第１入力端子に接続されている。セレクタ２４の第２入力端子と選択端子には、バスＩＦ１１からクロック信号と選択信号ＳＥＬが、それぞれ与えられている。
【００１９】
このようなチップ１０を２つ使用し、表示パネル１の表示領域Ａ１をマスターチップ１０ｍで駆動し、表示領域Ａ２をスレーブチップ１０ｓで駆動する場合、図１に示すように、マスターチップ１０ｍの端子１５にはマスター動作を指定する（例えば、“Ｈ”の）指定信号ＳＥＴを与え、スレーブチップ１０ｓの端子１５にはスレーブ動作を指定する（例えば、“Ｌ”の）指定信号ＳＥＴを与える。また、マスターチップ１０ｍとスレーブチップ１０ｓの端子１６間と、端子１７間をそれぞれ接続し、更にマスターチップ１０ｍの端子２３を、スレーブチップ１０ｓの端子２２に接続する。
【００２０】
次に、図１の表示パネル駆動装置の動作を、通常表示モード（１）とスクリーンセーバー・モード（２）に分けて説明する。
【００２１】
（１）  通常表示モード
ＣＰＵ３から通常表示モードが指定されると、マスターチップ１０ｍとスレーブチップ１０ｓのチップ間ＩＦ１３の起動信号ＳＣＲは“Ｌ”となる。また、ＣＰＵ３からの選択信号ＳＥＬによってセレクタ２４の第２入力端子が選択され、バスＩＦ１１から出力されるクロック信号がクロック信号ＣＬＫとしてタイミング制御部１４に与えられる。
【００２２】
ＣＰＵ３からシステムバス２を介して、マスターチップ１０ｍとスレーブチップ１０ｓに、それぞれ画面表示用の画像データが随時転送され、それぞれの表示用ＲＡＭ１２に格納される。
【００２３】
マスターチップ１０ｍとスレーブチップ１０ｓの表示用ＲＡＭ１２に格納された画像データは、それぞれのタイミング制御部１４によって周期的に読み出され、表示パネル１の表示領域Ａ１，Ａ２に、それぞれ表示される。
【００２４】
（２）  スクリーンセーバー・モード
図２は、図１のスクリーンセーバー・モードにおける画面表示例の説明図である。
スクリーンセーバー・モードへの移行に先立ち、ＣＰＵ３からマスターチップ１０ｍとスレーブチップ１０ｓに、それぞれスクリーンセーバー用の画像データが転送され、それぞれの表示用ＲＡＭ１２に格納される。これにより、図２の時刻ｔ１に示すように、表示パネル１の表示領域Ａ１，Ａ２にはそれぞれ独立した画面表示が行われる。
【００２５】
次に、ＣＰＵ３からスクリーンセーバー・モードが指定され、マスターチップ１０ｍとスレーブチップ１０ｓのバスＩＦ１１からは、スクリーンセーバー・モードを指定するモード信号ＭＯＤが出力される。また、ＣＰＵ３からの選択信号ＳＥＬによってセレクタ２４の第１入力端子が選択され、その後ＣＰＵ３はスタンバイ状態に移行する。
【００２６】
マスターチップ１０ｍでは、クロック発振器２１から所定の周波数のクロック信号が出力され、セレクタ２４を介してチップ間ＩＦ１３とタイミング制御部１４に供給される。チップ間ＩＦ１３では、モード信号ＭＯＤによってスクリーンセーバー・モードが指定されたことにより、“Ｈ”の起動信号ＳＣＲが出力されると共に、クロック信号ＣＬＫに従ってタイミング信号ＴＭが出力され、タイミング制御部１４と端子１６，１７に与えられる。タイミング制御部１４では、“Ｈ”の起動信号ＳＣＲが与えられると、スクリーンセーバー・モードでのタイミング制御が行われ、タイミング信号ＴＭに同期して表示用ＲＡＭ１２からロウライン毎に画像データが読み出される。更に、読み出された画像データは、シフト部１８に格納された後、タイミング制御部１４から与えられるシフト信号ＳＦＴによって、一定周期で右側に循環シフトさせられる。例えば、図２の時刻ｔ１のときに表示領域Ａ１の左端にあった文字“Ａ”が、時刻ｔ２では右側にシフトされて２文字目の位置に移り、右端にあった文字“Ｅ”が循環されて最左端に移されている。
【００２７】
一方、スレーブチップ１０ｓでは、マスターチップ１０ｍの端子２３から出力されるクロック信号ＣＬＫに基づいてクロック発振器２１が動作し、このクロック発振器２１から出力されるクロック信号が、セレクタ２４を介してチップ間ＩＦ１３とタイミング制御部１４に供給される。チップ間ＩＦ１３では、モード信号ＭＯＤによってスクリーンセーバー・モードが指定されたことにより、端子１６，１７を介してマスターチップ１０ｍから与えられる“Ｈ”の起動信号ＳＣＲとタイミング信号ＴＭが、タイミング制御部１４に与えられる。
【００２８】
タイミング制御部１４では、“Ｈ”の起動信号ＳＣＲが与えられると、スクリーンセーバー・モードでのタイミング制御が行われ、タイミング信号ＴＭに同期して表示用ＲＡＭ１２からロウライン毎に画像データが読み出される。更に、読み出された画像データは、シフト部１８に格納された後、タイミング制御部１４から与えられるシフト信号ＳＦＴによって、一定周期で右側に循環シフトさせられる。例えば、時刻ｔ１のときに表示領域Ａ２の左端にあった文字“Ｆ”が、時刻ｔ２では右側にシフトされて２文字目の位置に移り、右端にあった文字“Ｊ”が循環されて最左端に移されている。
【００２９】
以上のように、この実施例１の表示パネル駆動装置は、スクリーンセーバー・モードのときに、マスターチップ１０ｍの動作タイミングの基準となる起動信号ＳＣＲ、タイミング信号ＴＭ及びクロック信号ＣＬＫをスレーブチップ１０ｓに与え、スレーブチップ１０ｓ側では、与えられた起動信号ＳＣＲ、タイミング信号ＴＭ及びクロック信号ＣＬＫに基づいてタイミングを制御するチップ間ＩＦ１３を有している。これにより、マスターチップ１０ｍとスレーブチップ１０ｓの動作タイミングが一致し、表示パネル１の表示領域Ａ１，Ａ２で１つの画面として統一のとれたスクリーンセーバー画面を表示することができる。
【００３０】
なお、上記実施例１には種々の変形が可能である。この変形例としては、例えば、次のようなものがある。
（ａ）  同じ機能のチップ１０を用い、指定信号ＳＥＴでマスター動作とスレーブ動作の指定をするように構成しているが、チップ間ＩＦ１３の機能を若干変更して、マスター専用チップとスレーブ専用チップで構成しても良い。
（ｂ）  画面を横方向に循環表示するためにシフト部１８を用いているが、タイミング制御部１４で表示用ＲＡＭ１２中のスクリーンセーバー画面を読み出すアドレスをシフトさせるようにすれば、シフト部１８は不要である。
（ｃ）  図２では、スクリーンセーバー画面が右方向にスクロール表示されるようになっているが、左方向にスクロール表示するようにしても良い。
（ｄ）  表示パネル１の表示領域は上下に分割されているが、左右に分割しても良い。その場合、スクリーンセーバー画面のスクロール方向は上下方向となる。
【実施例２】
【００３１】
図３は、本発明の実施例２を示す表示パネル駆動装置の構成図であり、図１中の要素と共通の要素には共通の符号が付されている。
【００３２】
この表示パネル駆動装置は、表示領域が２分割された表示パネル１の全表示領域にわたって、移動図形Ｘを上下左右に移動させて表示するもので、上側の表示領域Ａ１を駆動するマスターチップ２０ｍと、下側の表示領域Ａ２を駆動するスレーブチップ２０ｓを有している。マスターチップ２０ｍとスレーブチップ２０ｓは、図１と同様に、システムバス２を介してＣＰＵ３、及びメインメモリ４等に接続されている。マスターチップ２０ｍとスレーブチップ２０ｓは、同一構成の表示駆動用ＬＳＩで、指定信号ＳＥＴでマスター動作が指定されたときにマスター側のチップとして動作し、スレーブ動作が指定されたときにスレーブ側のチップとして動作するものである。従って、ここでは共通のチップ２０としてその構成を説明する。
【００３３】
チップ２０は、表示パネル１の２つの表示領域Ａ１，Ａ２を共通する仮想空間座標で指定するように構成されている。マスターチップ２０ｍの表示用ＲＡＭ１２は、仮想空間座標の上半分に対応する実表示エリアの画像データを記憶し、スレーブチップ２０ｓの表示用ＲＡＭ１２は、仮想空間座標の下半分に対応する実表示エリアの画像データを記憶するようになっている。なお、非表示エリアに対応する表示用ＲＡＭは備えていない。
【００３４】
チップ２０は、スクリーンセーバー・モード時に、表示パネルの表示領域を所定の規則に従って上下左右に移動する移動図形Ｘの、現在の座標値を算出する現在位置算出部２５を有している。現在位置算出部２５は、初期位置格納部２６に格納された移動図形Ｘのスクリーンセーバー動作開始時の位置を示す座標値と、チップ間ＩＦ１３から与えられる起動信号ＳＣＲとタイミング信号ＴＭに従って、予め定められた計算式によってこの移動図形Ｘの現在位置を算出し、その算出した現在位置の座標値を現在位置レジスタ２７に格納するものである。
【００３５】
現在位置レジスタ２７に格納された座標値は、ＲＡＭ読出部２８によって読み出されるようになっている。ＲＡＭ読出部２８は現在位置が実表示エリアであるか否かを判定し、実表示エリアに入っていれば、表示ＲＡＭ１２から読み出した画像データの対応する領域を、移動図形格納部２９に格納された移動図形Ｘの画像データに変更してタイミング制御部１４Ａに与えるものである。なお、現在位置が実表示エリアでない場合、表示ＲＡＭ１２から読み出された画像データは、そのままタイミング制御部１４Ａに与えられる。
【００３６】
タイミング制御部１４Ａに与えられた画像データは、クロック信号ＣＬＫに従ってカラムドライバ１９とロウドライバ２０に出力され、表示パネル１に表示されるようになっている。なお、図１でタイミング制御部１４とカラムドライバ１９の間に挿入されていたシフト部１８は、本構成では不要となる。その他の構成は、図１と同様である。
【００３７】
図４は、図３のスクリーンセーバー・モードにおける画面表示例の説明図である。以下、この図４を参照しつつ、図３のスクリーンセーバー・モードの動作を説明する。
【００３８】
スクリーンセーバー・モードへの移行に先立ち、ＣＰＵ３からマスターチップ２０ｍとスレーブチップ２０ｓに、例えば、画面全体が黒となって何も表示されない画像データが転送され、それぞれの表示用ＲＡＭ１２に格納される。また、移動図形格納部２９には、ＣＰＵ３から与えられた移動図形Ｘの画像データが格納される。なお、ＣＰＵ３から画像データを転送せずに、スクリーンセーバー・モードの開始時に、表示用ＲＡＭ１２の内容を消去するようにしても良い。
【００３９】
次に、ＣＰＵ３からスクリーンセーバー・モードが指定され、マスターチップ２０ｍとスレーブチップ２０ｓのそれぞれのバスＩＦ１１から、スクリーンセーバー・モードを指定するモード信号ＭＯＤが出力される。また、ＣＰＵ３からの選択信号ＳＥＬによってセレクタ２４の第１入力端子が選択され、その後ＣＰＵ３はスタンバイ状態に移行する。
【００４０】
マスターチップ２０ｍでは、クロック発振器２１から所定の周波数のクロック信号が出力され、セレクタ２４を介してチップ間ＩＦ１３とタイミング制御部１４に供給される。チップ間ＩＦ１３では、モード信号ＭＯＤでスクリーンセーバー・モードが指定されたことにより、“Ｈ”の起動信号ＳＣＲと共に、クロック信号ＣＬＫに従ったタイミング信号ＴＭが出力され、現在位置算出部２５と端子１６，１７に与えられる。現在位置算出部２５では、起動信号ＳＣＲが“Ｈ”になると、タイミング信号ＴＭに同期して逐次、移動図形Ｘの現在位置が算出され、算出された現在位置の座標値は、現在位置レジスタ２７に格納される。ＲＡＭ読出部２８は、現在位置レジスタ２７に格納された座標値が実表示エリアであるか否かを判定する。
【００４１】
移動図形Ｘの現在位置が実表示エリアに入っていれば、ＲＡＭ読出部２８は表示ＲＡＭ１２から読み出した画像データの対応する領域を、移動図形格納部２９に格納された移動図形Ｘの画像データに変更してタイミング制御部１４Ａに与える。現在位置が実表示エリアでなければ、ＲＡＭ読出部２８は表示ＲＡＭ１２から読み出された画像データを、そのままタイミング制御部１４Ａに与える。
【００４２】
図４の時刻Ｔ１は、スクリーンセーバーの動作が開始された時点での仮想空間の内容と表示画面を模式的に示したもので、マスターチップ２０ｍでは、実表示エリアに初期位置の移動図形Ｘが存在する。一方、スレーブチップ２０ｓでは、移動図形Ｘの現在位置は非表示エリアとなっている。
【００４３】
マスターチップ２０ｍとスレーブチップ２０ｓの表示用ＲＡＭ１２内の画像データは、それぞれのＲＡＭ読出部２８によって読み出され、それぞれ表示パネル１の上半分と下半分の表示領域Ａ１，Ａ２に表示される。これにより、表示パネル１には初期位置にある移動図形Ｘが表示される。
【００４４】
時間の経過と共に移動図形Ｘの現在位置が移動し、図４の時刻Ｔ３に示すように、マスターチップ２０ｍの実表示エリアと、スレーブチップ２０ｓの実表示エリアに跨がった位置になる。この場合、移動図形Ｘの上半分は、マスタチップ２０ｍによって表示パネル１の上半分の表示領域Ａ１に表示され、この移動図形Ｘの下半分が、スレーブチップ２０ｓによってこの表示パネル１の下半分の表示領域Ａ２に表示される。これにより、表示パネル１の中央部に移動図形Ｘが表示される。
【００４５】
更に、時刻Ｔ４に示すように、移動図形Ｘの現在位置がスレーブチップ２０ｓの実表示エリアに移ると、表示パネル１の下半分の表示領域Ａ２に移動図形Ｘが表示される。
【００４６】
以上のように、この実施例２の表示パネル駆動装置は、スクリーンセーバー・モードのときに、マスターチップ２０ｍの動作タイミングの基準となる起動信号ＳＣＲ、タイミング信号ＴＭ及びクロック信号ＣＬＫをスレーブチップ２０ｓに与えるようにしている。更に、マスターチップ２０ｍとスレーブチップ２０ｓで、同一のタイミング信号ＴＭに基づいて、それぞれ移動図形Ｘの現在位置を算出し、算出した現在位置に基づいてこの移動図形Ｘを表示するようにしている。これにより、画面全体にわたって移動する移動図形Ｘを、統一のとれたスクリーンセーバー画面として表示することができる。
【００４７】
なお、上記実施例２には種々の変形が可能である。この変形例としては、例えば、次のようなものがある。
（ａ）  現在位置算出部２５〜ＲＡＭ読出部２８の構成は一例であり、同様の機能を有するものであれば、どのように構成しても良い。
（ｂ）  同じ機能のチップ２０を用い、指定信号ＳＥＴでマスター動作とスレーブ動作の指定をするように構成しているが、チップ間ＩＦ１３の機能を若干変更して、マスター専用チップとスレーブ専用チップで構成しても良い。
【図面の簡単な説明】
【００４８】
【図１】本発明の実施例１を示す表示パネル駆動装置の構成図である。
【図２】図１のスクリーンセーバー・モードにおける画面表示例の説明図である。
【図３】本発明の実施例２を示す表示パネル駆動装置の構成図である。
【図４】図３のスクリーンセーバー・モードにおける画面表示例の説明図である。
【符号の説明】
【００４９】
１    表示パネル
１０ｍ    マスターチップ
１０ｓ    スレーブチップ
１１    バスＩＦ
１２    表示用ＲＡＭ
１３    チップ間ＩＦ
１４    タイミング制御部
１８    シフト部
１９    カラムドライバ
２０    ロウドライバ
２５    現在位置算出部
２７    現在位置レジスタ
２８    ＲＡＭ読出部
【図１】
2006047511.tif 000003
【図２】
2006047511.tif 000004
【図３】
2006047511.tif 000005
【図４】
2006047511.tif 000006